(57)【要約】【課題】厳格な現金管理を可能にし、また、不正行為の発生を抑制する。【解決手段】集中センタ２のオペレーション端末４で自動取引装置１に対して装填または回収する予定の現金の金種、枚数を入力して、その入力データをサーバ３に送ってデータベースに蓄積し、自動取引装置１に対して現金の装填または回収を行ったとき、その自動取引装置１から装填または回収した現金の金種、枚数のデータをサーバ３に送り、該サーバ３によってオペレーション端末４で入力した現金の金種、枚数と、自動取引装置１から送られてきた金種、枚数のデータを比較して一致するか否かをチェックする。【選択図】        図１
2004220277.tif 000002
【特許請求の範囲】
【請求項１】
オペレーション端末と、データベースを有するサーバと、現金処理装置とよりなり、
前記現金処理装置に対して装填または回収する予定の現金の金種、枚数を前記オペレーション端末で入力して、その入力データを前記サーバに送ってデータベースに蓄積し、
前記現金処理装置に対して現金の装填または回収を行ったとき、その現金処理装置から装填または回収した現金の金種、枚数のデータを前記サーバに送り、該サーバにより前記オペレーション端末で入力した現金の金種、枚数と前記現金処理装置から送られてきた金種、枚数のデータを前記データベースから読みだして一致するか否かをチェックすることを特徴とする現金の補充回収チェックシステム。
【請求項２】
請求項１記載の現金の補充回収チェックシステムにおいて、
前記現金処理装置は、顧客の操作により取引を行う自動取引装置と、金融機関の窓口で行員が操作する現金入出金機と、金融機関行員が操作する高額の入出金が可能な出納機のうちのすくなくとも１つとすることを特徴する現金の補充回収チェックシステム。
【請求項３】
データベースを有する出納機と、現金処理装置とよりなり、
前記現金処理装置に対して装填または回収する予定の現金の金種、枚数を前記出納機で入力して、その入力データを前記データベースに蓄積し、
前記現金処理装置に対して現金の装填、回収を行ったとき、その現金処理装置から装填または回収した現金の金種、枚数のデータを前記出納機に送って、該出納機により前記入力した現金の金種、枚数と前記現金処理装置から送られてきた金種、枚数のデータを前記データベースから読みだして一致するか否かをチェックすることを特徴とする現金の補充回収チェックシステム。
【請求項４】
請求項３記載の現金の補充回収チェックシステムにおいて、
前記現金処理装置は、顧客の操作により取引を行う自動取引装置と、金融機関の窓口で行員が操作する現金入出金機のうちのすくなくとも１つとすることを特徴する現金の補充回収チェックシステム。
【請求項５】
データベースを有する支店サーバと、現金処理装置とよりなり、
前記現金処理装置に対して装填または回収する予定の現金の金種、枚数を前記支店サーバで入力して、その入力データを前記データベースに蓄積し、
前記現金処理装置に対して現金の装填、回収を行ったとき、その現金処理装置から装填または回収した現金の金種、枚数のデータを前記支店サーバに送って、該出納機により前記入力した現金の金種、枚数と前記現金処理装置から送られてきた金種、枚数のデータを前記データベースから読みだして一致するか否かをチェックすることを特徴とする現金の補充回収チェックシステム。
【請求項６】
請求項５記載の現金の補充回収チェックシステムにおいて、
前記現金処理装置は、顧客の操作により取引を行う自動取引装置と、金融機関の窓口で行員が操作する現金入出金機と、金融機関行員が操作する高額の入出金が可能な出納機のうちのすくなくとも１つとすることを特徴する現金の補充回収チェックシステム。
【請求項７】
データベースを有する勘定系ホストと、現金処理装置とよりなり、
前記現金処理装置に対して装填または回収する予定の現金の金種、枚数を勘定系ホストで入力して、その入力データを前記データベースに蓄積し、
前記現金処理装置に対して現金の装填または回収を行ったとき、その現金処理装置から装填または回収した現金の金種、枚数のデータを前記勘定ホストに送り、該勘定系ホストにより前記入力した現金の金種、枚数と前記現金処理装置から送られてきた金種、枚数のデータを前記データベースから読みだして一致するか否かをチェックすることを特徴とする現金の補充回収チェックシステム。
【請求項８】
請求項７記載の現金の補充回収チェックシステムにおいて、
前記現金処理装置は、顧客の操作により取引を行う自動取引装置と、金融機関の窓口で行員が操作する現金入出金機と、金融機関行員が操作する高額の入出金が可能な出納機のうちのすくなくとも１つとすることを特徴する現金の補充回収チェックシステム。
【発明の詳細な説明】
【０００１】
【発明の属する技術分野】
本発明は、自動取引装置や出納機に対して行われる現金の装填時や回収時に実施されるチェックを自動的に行うための現金の装填回収チェックシステムに関するものである。
【０００２】
【従来の技術】
銀行等の金融機関においては、支店等の店舗に設けられた自動機コーナに複数の自動取引装置が設置され、顧客の操作により入出金取引等が行われている。
また、このような自動取引装置の他に、窓口で行員（テラー）が操作する窓口入出金機や、これら入出金機及び自動取引装置に対して装填や回収を行う現金の入出金機能を有する出納機を備えた店舗もある。
【０００３】
一方、最近ではインターネット等の回線網を介して音楽等やゲームソフトを所定の媒体にダウンロードする機能等を有する多機能の自動取引装置がコンビニエンスストア等にも設置されている。
これらの自動取引装置、窓口入出金機、及び出納機等の現金処理装置に対する現金の補充や回収は、金融機関の行員や、金融機関等と契約している警備会社の人員（以下、警送員）により行われる。
【０００４】
現金の装填にあたっては、現金を詰めた現金袋や補充回収用カセットと称する金庫（鍵付きの現金ボックス）が用意され、行員や警送員がこの現金袋や補充回収用カセットを現金の装填が必要な現金処理装置まで持参して、手作業で現金を装填する。
通常、自動取引装置、窓口入出金機、及び出納機等の現金処理装置には、補充回収用カセットが装着されており、従って現金袋を用いる場合は、予め行員や警送員に渡されている鍵により現金処理装置の扉と、補充回収用カセットの扉を開き、予め指定された金種、枚数の現金を現金袋から取り出して補充回収用カセットにセットした後、前記扉をそれぞれ締めて鍵を掛ける。
【０００５】
一方、補充回収用カセットで現金を装填する場合は、前記の鍵で行員や警送員が現金処理装置の扉を開き、補充回収カセットを交換する。
こうして現金の装填が行われると、現金処理装置内で補充回収用カセットから自動的に現金が繰り出され、金種鑑別及び金種毎の枚数の計数が行われた後、金種別の収納庫にそれぞれ収納される。
【０００６】
このときの計数結果は、現金処理装置内に設けられているプリンタによりレシート等の用紙に印字され、その用紙は所定の取り込み部に取り込まれて保存される。
回収の場合は、行員や警送員がこの空の現金袋や補充回収カセットを現金の回収が必要な現金処理装置まで持参して、手作業で現金を回収する。
【０００７】
すなわち、行員や警送員が扉等に設けられている操作盤等により回収する現金の金種、金種毎の枚数、及び回収の指示を入力する。
これにより、現金処理装置の金種別の収納庫から紙幣が繰り出され、金種鑑別及び金種毎の枚数の計数が行われた後、補充回収用カセットに収納される。
このときの計数結果も、現金処理装置内に設けられているプリンタによりレシート等の用紙に印字され、その用紙は所定の取り込み部に取り込まれて保存される。
【０００８】
その後、この補充回収用カセットの扉を鍵で開いて中から現金を取り出し、空の現金袋にいれて回収するか、現金を収納した補充回収用カセットを取り外し、空の補充回収用カセットと交換することで回収を行う。
【０００９】
【発明が解決しようとする課題】
しかしながら、上述した従来の技術では、現金処理装置に対して現金の装填または回収を行った場合、現金処理装置では装填や回収した現金の金種及び金種毎の枚数等用紙に印字して保管しているのみであるので、予定通りに金種や枚数の現金が実際に装填または回収されたかどうかが分からず、厳格な現金管理が困難であるという問題がある。
【００１０】
また、装填または回収が予定どおり行われたか否かが分からないため、万一現金の装填や回収を行う行員や警送員が補充回収用カセットや現金袋から現金を取り出して着服してもすぐには分からず、また現金処理装置に保管されている前記の用紙を定期的にチェックすることで着服が発覚してもその対応が遅れることから、現金の装填や回収の際に着服等の不正を誘発し易いという問題があった。
【００１１】
本発明はこのような問題を解決することが可能な現金の補充回収チェックシステムを実現することを課題としている。
【００１２】
【課題を解決するための手段】
そのため、本発明の現金の補充回収チェックシステムは、オペレーション端末と、データベースを有するサーバと、現金処理装置とよりなり、前記現金処理装置に対して装填または回収する予定の現金の金種、枚数を前記オペレーション端末で入力して、その入力データを前記サーバに送ってデータベースに蓄積し、前記現金処理装置に対して現金の装填または回収を行ったとき、その現金処理装置から装填または回収した現金の金種、枚数のデータを前記サーバに送り、該サーバにより前記オペレーション端末で入力した現金の金種、枚数と前記現金処理装置から送られてきた金種、枚数のデータを前記データベースから読みだして一致するか否かをチェックすることを特徴とする。
【００１３】
【発明の実施の形態】
以下、図面を参照して本発明の実施の形態について説明する。
図１は第１の実施の形態を示すシステム構成図である。
図において１は顧客が操作して取引を行う自動取引装置（現金処理装置）で、金融機関の支店や無人化店舗、あるいはコンビニエンスストアや等に設置されるものであり、ここでは２台のみを図示しているが、図示した数に限定されるものではない。
【００１４】
この自動取引装置１はＬＡＮや一般のネットワーク等の通信回線を介して集中センタ２に設けられたサーバ３とオペレーション端末４に接続される。
前記サーバ３は各種のデータを格納するデータベースを備え、自動取引装置１とデータ通信を行うものとなっている。
また、オペレーション端末４は、キーボードや、ＣＲＴディスプレイやＬＣＤディスプレイ等による表示部、及びこれらを制御する制御部等からなり、オペレータによりデータを入力したり、データベースの内容を可視的に編集して出力する機能を有している。
【００１５】
この構成にて、自動取引装置１と集中センタ２のサーバ３及びオペレーション端末４は双方向のデータ通信を可能としている。
ところで、自動取引装置に補充する現金や、現金処理装置から回収した現金の管理は図示しない金融機関の現金管理センタで行われる。
一方、前記現金処理装置に対する補充や回収は、一般的に金融機関の行員や、金融機関等と契約している警備会社の警送員と称する人員により行われている。
【００１６】
この場合、金融機関の有人の支店においては、警備会社の警送員により現金管理センタから配送される現金を支店の行員が受け取って、現金処理装置に現金を補充し、また、現金処理装置から行員が回収した現金は、警送員に渡されて現金管理センタに運ばれる。
これは、金融機関の有人の支店に設置される窓口入出金機（現金処理装置）及び出納機（現金処理装置）の場合も同様である。
【００１７】
一方、金融機関の無人化店舗やコンビニエンスストア等に設置される自動取引装置１に対しては、警送員により補充及び回収が行われる。
これをふまえて、第１の実施の形態の作用について説明する。
自動取引装置１に現金を装填または回収する場合、まず、集中センタ２のオペレータがオペレーション端末４を操作し、装填または回収予定金額である現金の金種及び金種毎の枚数と、対象となる自動取引装置１が設置されている店を特定する店番、自動取引装置１を特定する機番を入力する。
【００１８】
このときの装填または回収予定金額である現金の金種及び金種毎の枚数は、過去の実績に基づく資金予測により集中センタ２や図示しない銀行本部等で作成される一定期間の現金配送計画に基づいて予め算出されている。
つまり、現金配送計画により定められた該当日の自動取引装置毎の装填または回収予定金額に基づいて現金の金種及び金種毎の枚数が入力される。
【００１９】
入力された金種、金種毎の枚数、店番、機番等のデータは、同じ集中センタ２内のサーバ３のデータベースに蓄積されるが、このデータは現金管理センタに装填または回収の通知と共に送られる。
この通知を受けて現金管理センタは、警備会社に現金の装填または回収を依頼する。
【００２０】
そして、現金管理センタでは、集中センタ２から受信したデータに基づいて、現金の装填であれば、現金を現金袋や補充回収用カセットにセットすると共に現金装填用の伝票を作成し、また、現金の回収であれば現金回収用の伝票を作成する。
このときの伝票には、装填または回収する現金の金種、金種毎の枚数、店番、機番等が印字される。
【００２１】
警備会社は現金管理センタからの依頼により、現金管理センタに配送車と共に警送員を派遣し、派遣された警送員は現金管理センタから現金装填の場合は、現金をセットした現金袋や補充回収用カセットと伝票及び自動取引装置の鍵、回収の場合は空の現金袋や補充回収用カセットと伝票及び鍵等の必要なものを受け取る。
【００２２】
これらを受け取った後、警送員は配送車で金融機関の無人店舗やコンビニエンスストア等の店舗を巡回し、目的の店舗に到着すると、警送員は現金袋や補充回収用カセットを自動取引装置１まで運搬する。
そして現金を現金袋から取り込んで装填する場合、警送員は持参した鍵で自動取引装置１の扉と、自動取引装置１に装着されている補充回収用カセットの扉を順に開き、持参した伝票に記載されている金種、枚数の現金を現金袋から取り出して補充回収用カセットにセットした後、前記扉をそれぞれ締めて鍵を掛ける。
【００２３】
一方、補充回収用カセットで現金を装填する場合は、前記の鍵で警送員が自動取引装置１の扉を開き、補充回収カセットを交換して扉を閉じる。
こうして現金の装填が行われると、自動取引装置１内で補充回収用カセットから自動的に現金が繰り出され、金種鑑別及び金種毎の枚数の計数が行われた後、金種別の収納庫にそれぞれ収納される。
【００２４】
自動取引装置１はこのときの計数結果に店番、機番を付与して集中センタ２のサーバ３へ送信する。
尚、補充回収用カセットには、セットした現金の金種及び金種毎の枚数を記憶するメモリを備えたものがあり、このようなメモリを備えた補充回収用カセットは自動取引装置１に装着すると、メモリの内容が自動取引装置１に読み取られ、装填用にセットされている現金の金種及び金種毎の枚数が自動取引装置１で自動的に認識されるものとなっている。
【００２５】
従って、このような補充回収用カセットが用いられた場合、自動取引装置１は補充回収用カセットのメモリに記憶された現金の金種及び金種毎の枚数を読み取り、それに店番、機番を付与して集中センタ２のサーバ３へ送信する。
但し、補充回収用カセットの運搬中に、該補充回収用カセットの扉が開かれたことを補充回収用カセットに設けられたセンサが検知して、そのデータを前記メモリに記憶し、補充回収用カセットが自動取引装置１に装着されたとき、扉開のデータが自動取引装置１で認識された場合は、補充回収用カセットにセットされている現金の金種鑑別及び金種毎の枚数の計数を行って、集中センタ２のサーバ３へ通知するものとする。
【００２６】
自動取引装置１から現金を回収する場合は、警送員が前記の鍵で自動取引装置１の扉を開き、扉等に設けられている操作盤等を操作して伝票に記載されている回収すべき現金の金種、金種毎の枚数、及び回収の指示を入力する。
これにより、自動取引装置１の金種別の収納庫から紙幣が繰り出され、金種鑑別及び金種毎の枚数の計数が行われた後、補充回収用カセットに収納される。
【００２７】
この場合も、自動取引装置１は計数結果に店番、機番を付与して集中センタ２のサーバ３へ送信する。
計数終了後、警送員はこの補充回収用カセットの扉を鍵で開いて中から現金を取り出し、空の現金袋にいれて回収するか、自動取引装置１から現金を収納した補充回収用カセットを取り外し、空の補充回収用カセットと交換することで回収を行う。
【００２８】
このようにして自動取引装置１に対する現金の装填または回収が行われるが、集中センタ２のサーバ３は、自動取引装置１から装填または回収の計数結果を受信すると、そのデータの付加されている店番、機番を識別子として、データベースに蓄積されている当該自動取引装置１に対する装填または回収予定の金種、金種毎の枚数のデータを検索し、検索したデータと自動取引装置１からの計数結果を比較して一致しているか否かをチェックすると共に、そのチェック結果及びデータベースから検索したデータと自動取引装置１からの計数結果を並べてオペレーション端末４の表示部に表示し、更に前記チェックの結果、データベースから検索したデータと自動取引装置１からの計数結果が一致していなければ、その旨の表示を表示部に表示したり、警報ランプや警報ブザー等でオペレータに報知する。
【００２９】
尚、自動取引装置１からの計数結果や前記一致、不一致等も集中センタ２のサーバ３によりデータベースに蓄積される。
これにより集中センタ２のオペレータは、オペレーション端末４で、自動取引装置１の機番や、装填または回収日時等を入力することにより、装填または回収のデータをデータベースから取り出して、自動取引装置１毎の装填または回収の現金の内訳や一致・不一致等のデータを編集してレポート出力させることが可能となる。
【００３０】
尚、上述した例は、金融機関の無人店舗やコビニエンスストア等に設置される自動取引装置１に対して警備会社の警送員が現金の装填または回収を行うものとして説明したが、金融機関の有人の支店では警送員が運搬してきた現金袋や補充回収用カセットを伝票と共に行員が受け取り、行員によって自動取引装置１に現金の装填または回収が行われることにが、この場合も自動取引装置１から計数結果に店番、機番を付与して集中センタ２のサーバ３へ送信することで、同様の処理が可能である。
【００３１】
以上説明した第１の実施の形態によれば、自動取引装置に対して装填または回収する予定の現金の金種、金種毎の枚数と、実際に自動取引装置に対して装填または回収された現金の金種、金種毎の枚数が一致しているか否かをリアルタイムで自動チェックすることが可能となり、厳格な現金管理が可能になるという効果が得られる。
【００３２】
また、万一現金の運搬、装填、及び回収を行う行員や警送員が補充回収用カセットや現金袋から現金を取り出して着服してもすぐに発覚してしまうため、現金の着服等の不正行為を抑制できるという効果も得られる。
更に、前記のチェックを集中センタで行うため、広域な範囲で設置される自動取引装置全てに対して、管理が可能になるという効果も得られる。
【００３３】
図２は第２の実施の形態を示すシステム構成図である。
この実施の形態は、通常、金融機関の支店に設けられる出納機に適用されるものである。
図２において５は金融機関の支店等に設けられる出納機で、現金の入出金処理を行う現金処理部、入出金処理等に必要なデータを入力する操作卓、各種のデータや操作ガイダンス等を表示するＬＣＤ等の表示部を備えている。
【００３４】
この出納機５はＬＡＮや一般のネットワーク等の通信回線を介して集中センタ２に設けられたサーバ３とオペレーション端末４に接続されている。
サーバ３及びオペレーション端末４は第１の実施の形態と同様の機能を有し、この構成にて、出納機５と集中センタ２のサーバ３及びオペレーション端末４は双方向のデータ通信を可能としている。
【００３５】
出納機５は、通常、金融機関の支店等において窓口の後方に設けられており、窓口業務を行うテラーや渉外員等の操作により入金処理や出金処理を行うものであるが、自動取引装置や窓口入出金機よりも大量（高額）の現金を処理できるように構成されている。
このような構成による第２の実施の形態においても第１の実施の形態と同様のの手順で装填または回収予定の現金と、実際に装填及び回収した現金の一致、不一致のチェックを行うことができる。
【００３６】
すなわち、集中センタ２のオペレータがオペレーション端末４を操作し、装填または回収予定金額である現金の金種及び金種毎の枚数と、対象となる自動取引装置１が設置されている店を特定する店番、自動取引装置１を特定する機番を入力する。
このときの装填または回収予定金額である現金の金種及び金種毎の枚数は、過去の実績に基づく資金予測により集中センタ２で作成される一定期間の現金配送計画に基づいて予め算出されている。
【００３７】
つまり、現金配送計画により定められた該当日の自動取引装置毎の操作し、装填または回収予定金額に基づいて現金の金種及び金種毎の枚数が入力される。
入力された金種、金種毎の枚数、店番、機番等のデータは、同じ集中センタ２内のサーバ３のデータベースに蓄積されるが、このデータは現金管理センタに装填または回収の通知と共に送られる。
【００３８】
この通知を受けて現金管理センタは、警備会社に現金の装填または回収を依頼する。
そして、現金管理センタでは、集中センタ２から受信したデータに基づいて、現金の装填であれば、現金を現金袋にセットすると共に現金装填用の伝票を作成し、また現金の回収であれば現金回収用の伝票を作成する。
【００３９】
このときの伝票には、装填または回収する現金の金種、金種毎の枚数、店番、機番等が印字される。
警備会社は現金管理センタからの依頼により、現金管理センタに配送車と共に警送員を派遣し、派遣された警送員は現金管理センタから現金装填の場合は、現金をセットした現金袋と伝票、回収の場合は空の現金袋と伝票等の必要なものを受け取る。
【００４０】
これらを受け取った後、警送員は配送車で金融機関の支店を巡回し、目的の店舗に到着すると、警送員は現金袋を金融機関の支店の行員に引き渡し、行員によって出納機５に対する現金の装填または回収が行われる。
この場合の、現金の装填または回収作業については自動取引装置１の場合と同様であり、また出納機５による現金の計数についても同様に行われるので説明を省略するが、本実施の形態において、回収された現金を入れた現金袋は後で警送員に引き渡され、現金管理センタに運搬される。
【００４１】
現金の装填または回収において、出納機５により現金の計数が終了すると、出納機５は計数結果に店番、機番を付与して集中センタ２のサーバ３へ送信する。集中センタ２のサーバ３は、出納機５から装填または回収の計数結果を受信すると、そのデータの付加されている店番、機番を識別子として、データベースに蓄積されている当該出納機５に対する装填または回収予定の金種、金種毎の枚数のデータを検索し、検索したデータと出納機５からの計数結果を比較して一致しているか否かをチェックすると共に、そのチェック結果及びデータベースから検索したデータと出納機５からの計数結果を並べてオペレーション端末４の表示部に表示し、更に前記チェックの結果、データベースから検索したデータと出納機５からの計数結果が一致していなければ、その旨の表示を表示部に表示したり、警報ランプや警報ブザー等でオペレータに報知する。
【００４２】
尚、出納機５からの計数結果や前記一致、不一致等のデータも集中センタ２のサーバ３によりデータベースに蓄積される。
これにより集中センタ２のオペレータは、オペレーション端末４で、出納機５の機番や、装填または回収日時等をを入力することにより、装填または回収のデータをデータベースから取り出して、出納機５毎の装填または回収の現金の内訳や一致・不一致等のデータを編集してレポート出力させることが可能となる。
【００４３】
以上説明した第２の実施の形態においても、出納機に対して装填または回収する予定の現金の金種、金種毎の枚数と、実際に出納機に対して装填または回収された現金の金種、金種毎の枚数が一致しているか否かをリアルタイムで自動チェックすることが可能となるので、厳格な現金管理を行うことができるという効果が得られる。
【００４４】
また、万一現金の運搬、装填、及び回収を行う行員や警送員が現金袋から現金を取り出して着服してもすぐに発覚してしまうため、現金の着服等の不正行為の抑制できるという効果も得られる。
また、金融機関の支店の窓口に設けられる窓口入出金機に適用した場合でも、出納機５と同様に装填または回収予定の現金と、実際に装填や回収した現金の一致、不一致のチェック等を行うことが可能であり、同様の効果が得られる。
【００４５】
図３は第３の実施の形態を示すシステム構成図である。
この第３の実施の形態は、自動取引装置１と出納機５で構成されるもので、本実施の形態における出納機５は現金の入出金機能の他、第１及び第２の実施の形態で説明した集中センタ２のデータベースを保有するサーバ３及びオペレーション端末４の機能を持たせたものとする。
【００４６】
この自動取引装置１と出納機５は金融機関の同一店舗内に設けられ、互いにデータ通信が可能なようにＬＡＮ等を介して接続されている。
このような構成による第３の実施の形態の形態では、補充回収用カセットを用いて自動取引装置１に対する現金の補充または回収を行うものとする。
すなわち、金融機関の行員が出納機５の操作卓を操作して、装填または回収予定金額である現金の金種及び金種毎の枚数と、対象となる自動取引装置１を特定する機番を入力すると、装填の場合は機番等が印字された伝票、回収の場合は、入力された金種及び金種毎の枚数と機番等を印字した伝票が放出される。
【００４７】
入力された金種及び金種毎の枚数と機番等のデータは出納機５に設けられているデータベースに蓄積される。
ここで、現金の装填の場合は、予め空の補充回収用カセットを出納機５に装着しておくことで、前記入力された金種毎の枚数の現金か自動的に計数されて補充回収用カセットに収納される。
【００４８】
尚、装填または回収予定金額である現金の金種及び金種毎の枚数は、過去の実績に基づく資金予測により金融機関の支店で作成される一定期間の現金装填、回収計画に基づいて予め算出されている。
その後、行員は装填の場合は現金を収納した補充回収用カセット、回収の場合は空の補充回収用カセットと伝票を自動取引装置１まで運搬し、持参した鍵で自動取引装置１の扉を開き、装填または回収作業を行う。
【００４９】
すなわち、装填の場合は補充回収カセットを交換する。この場合、交換して自動取引装置１の扉を閉じると、自動取引装置１内で補充回収用カセットから自動的に現金が繰り出され、金種鑑別及び金種毎の枚数の計数が行われた後、金種別の収納庫にそれぞれ収納される。
自動取引装置１はこのときの計数結果に機番を付与して出納機５へ送信する。
【００５０】
一方、回収の場合は、鍵で自動取引装置１の扉を開き、扉等に設けられている操作盤等を操作して伝票に記載されている回収すべき現金の金種、金種毎の枚数、及び回収の指示を入力する。
これにより、自動取引装置１の金種別の収納庫から紙幣が繰り出され、金種鑑別及び金種毎の枚数の計数が行われた後、補充回収用カセットに収納されるが、この場合も自動取引装置１は計数結果に機番を付与して出納機５へ送信する。
【００５１】
計数終了後、行員は自動取引装置１から現金を収納した補充回収用カセットを取り外し、空の補充回収用カセットと交換することで回収を行う。
このようにして自動取引装置１に対する現金の装填または回収が行われるが、出納機５は、自動取引装置１から装填または回収の計数結果を受信すると、そのデータの付加されている機番を識別子として、データベースに蓄積されている当該自動取引装置１に対する装填または回収予定の金種、金種毎の枚数のデータを検索し、検索したデータと自動取引装置１からの計数結果を比較して一致しているか否かをチェックすると共に、そのチェック結果及びデータベースから検索したデータと自動取引装置１からの計数結果を並べて出納機の表示部に表示し、更に前記チェックの結果、データベースから検索したデータと自動取引装置１からの計数結果が一致していなければ、その旨の表示を表示部に表示したり、警報ランプや警報ブザー等で支店の責任者等に報知する。
【００５２】
尚、自動取引装置１からの計数結果や前記一致、不一致等も出納機５によりデータベースに蓄積される。
これにより支店の責任者等は、出納機５で自動取引装置１の機番や、装填または回収日時等をを入力することにより、装填または回収のデータをデータベースから取り出して、自動取引装置１毎の装填または回収の現金の内訳や一致・不一致等のデータを編集してレポート出力させることが可能となる。
【００５３】
以上説明した第３の実施の形態によれば、自動取引装置に対して装填または回収する予定の現金の金種、金種毎の枚数と、実際に自動取引装置に対して装填または回収された現金の金種、金種毎の枚数が一致しているか否かを支店内でリアルタイムで自動チェックすることが可能となり、厳格な現金管理が可能になるという効果が得られる。
【００５４】
また、万一現金の装填、及び回収を行う行員が補充回収用カセットや現金袋から現金を取り出して着服してもすぐに発覚してしまうため、現金の着服等の不正行為の抑制できるという効果が得られる。
尚、金融機関の支店の窓口に設けられる窓口入出金機に適用した場合も、自動取引装置と同様に装填または回収予定の現金と、実際に装填または回収した現金の一致、不一致のチェックを行うことが可能であり、同様の効果が得られる。
【００５５】
また、金融機関においては、その支店の業務に関する情報の処理や管理を行う支店サーバが設けられている支店が少なくないので、この支店サーバに第１及び第２の実施の形態で説明した集中センタ２のデータベースを保有するサーバ３及びオペレーション端末４の機能を持たせておき、前記各実施の形態と同様に自動取引装置１や出納機５あるいは窓口入出金機に現金の装填または回収を行って、前記支店サーバにより装填または回収予定の現金と、実際に装填または回収した現金の一致、不一致のチェックを行うようにすることも可能であり、そのようにした場合、前記各実施の形態と同様の効果が得られる。
【００５６】
図４は第４の実施の形態を示すシステム構成図である。
図において６は窓口入出金機、７は勘定系ホストで、窓口入出金機６は、前記のように金融機関の支店の窓口に設けられるものである。
勘定系ホスト７は、金融機関の事務センタ等に設置されるコンピュータで、通常、金融機関の自動取引装置１等で行われる取引の履歴や顧客情報等を管理しており、本実施の形態は、この勘定系ホスト７に第１及び第２の実施の形態で説明した集中センタ２のデータベースを保有するサーバ３及びオペレーション端末４の機能を持たせたものである。
【００５７】
また、一般に自動取引装置１や窓口入出金機６は、勘定系ホスト７と通信を行いながら取引処理を実行するので、自動取引装置１や窓口入出金機６は専用回線を介して勘定系ホスト７と接続しているが、本実施の形態では出納機５も勘定系ホスト７と接続して相互にデータ通信を可能としている。
尚、本実施の形態における自動取引装置１は金融機関の支店のほか、第１の実施の形態と同様にコンビニエンスストア等に設けられていてもよい。
【００５８】
このような構成による第４の実施の形態では、地区センタ等のオペレータが勘定系ホスト７を操作して、自動取引装置１や出納機５あるいは窓口入出金機６に対する装填または回収予定金額である現金の金種及び金種毎の枚数と、対象となる自動取引装置１等を特定する機番を入力すると、そのデータがデータベースに蓄積され、更に現金管理センタに送信される。
【００５９】
尚、装填または回収予定金額である現金の金種及び金種毎の枚数は、過去の実績に基づく資金予測により金融機関の支店等で作成される一定期間の現金配送計画に基づいて予め算出されている。
その後、第１の実施の形態、第２の実施の形態と同様に、警備会社の警送員により現金袋や補充回収用カセット等が金融機関の支店等に配送され、自動取引装置１や出納機５あるいは窓口入出金機６に対して現金の装填または回収が行われる。
【００６０】
そして、この現金の装填または回収に伴って、自動取引装置１や出納機５あるいは窓口入出金機６で現金の金種鑑別、及び金種毎の計数が行われ、計数が終了すると、計数結果に店番、機番を付与され、勘定系ホスト７に送信される。
勘定系ホスト７は、自動取引装置１や出納機５あるいは窓口入出金機６から装填または回収の計数結果を受信すると、そのデータの付加されている店番、機番を識別子として、データベースに蓄積されている当該自動取引装置１や出納機５あるいは窓口入出金機６に対する装填または回収予定の金種、金種毎の枚数のデータを検索し、検索したデータと自動取引装置１や出納機５あるいは窓口入出金機６からの計数結果を比較して一致しているか否かをチェックすると共に、そのチェック結果及びデータベースから検索したデータと自動取引装置１や出納機５あるいは窓口入出金機６からの計数結果を並べて勘定系ホスト７の表示部に表示し、更に前記チェックの結果、データベースから検索したデータと自動取引装置１や出納機５あるいは窓口入出金機６からの計数結果が一致していなければ、その旨の表示を表示部に表示したり、警報ランプや警報ブザー等でオペレータに報知する。
【００６１】
尚、自動取引装置１や出納機５あるいは窓口入出金機６からの計数結果や前記一致、不一致等のデータも勘定系ホスト７によりデータベースに蓄積されることは、前記各実施の形態と同様であり、また各装置毎の装填または回収の現金の内訳や一致・不一致等のデータを編集してレポート出力させることが可能であることも前記各実施の形態と同様である。
【００６２】
以上説明した第４の実施の形態においても、前記第１の実施の形態や第２の実施の形態と同様の効果が得られる。
【００６３】
【発明の効果】
以上説明したように、本発明は、自動取引装置や出納機あるいは窓口入出金機等の現金処理装置に対して装填または回収する予定の現金の金種、金種毎の枚数と、実際に現金処理装置に対して装填または回収された現金の金種、金種毎の枚数が一致しているか否かを集中センタや支点等でリアルタイムに自動チェックすることが可能となるので、厳格な現金管理が可能になるという効果が得られる。
【図面の簡単な説明】
【図１】第１の実施の形態を示すシステム構成図
【図２】第２の実施の形態を示すシステム構成図
【図３】第３の実施の形態を示すシステム構成図
【図４】第４の実施の形態を示すシステム構成図
【符号の説明】
１  自動取引装置
２  集中センタ
３  サーバ
４  オペレーション端末
５  出納機
６  窓口入出金機
７  勘定系ホスト
【図１】
2004220277.tif 000003
【図２】
2004220277.tif 000004
【図３】
2004220277.tif 000005
【図４】
2004220277.tif 000006